(57)【特許請求の範囲】
【請求項１】
機能装置が載置され、洋風便器本体の後部上面に取付可能なベース部材と、
該ベース部材に固定され、該機能装置を収納し、該ベース部材の外周端面を覆う側壁及び便座を回動自在に軸支する軸支部を有するケーシングとを備えた便座装置において、
前記ケーシングは、左右側壁の内面に設けられた第１係止部を有し、
前記ベース部材は、左右上面に設けられ、該第１係止部に係合する第１被係止部を有し、
該第１係止部には、該ケーシングの下端開口面と略平行な上面を有する第１係止片が形成され、
該第１被係止部には、該第１係止片の上面に係合する下面を有する第１被係止片が形成され、
該第１被係止片の下方に、該ベース部材の前端側から該第１係止片を後方にスライドさせて挿入可能であることを特徴とする便座装置。
【請求項２】
前記第１被係止片の上面には、後方から前方に下降する傾斜面を有するガイド部材が形成されている請求項１記載の便座装置。
【請求項３】
前記ベース部材は、左右端縁に立設された挿入片を有し、
前記ケーシングは、左右側壁の内面に設けられ、該左右側壁の内面との間に隙間を形成し、該隙間に該挿入片を挟み込み可能な挟持片を有する請求項１又は２記載の便座装置。
【請求項４】
前記ケーシングは、前端部の後方内部に設けられ、後方に伸びた第２係止片を有する第２係止部を有し、
前記ベース部材は、前端部に設けられ、前方に向けて開口し、該第２係止片を挿入可能な凹部からなる第２被係止部を有している請求項１乃至３のいずれか１項記載の便座装置。
【請求項５】
前記ベース部材は、前ベース部材と後ベース部材とから構成され、
該前ベース部材には、前記第１被係止部が設けられ、
該後ベース部材は洋風便器本体の後部上面に取付可能であり、
該後ベース部材に対して、前記ケーシングが固定された該前ベース部材を昇降可能な昇降装置を備えている請求項１又は２記載の便座装置。
【発明の詳細な説明】
【技術分野】
【０００１】
本発明は便座装置に関する。
【背景技術】
【０００２】
特許文献１に従来の便座装置が開示されている。この便座装置は、便器洗浄タンク、局部洗浄装置等の機能装置が載置され、洋風便器本体の後部上面に取り付け可能なベース部材を備えている。ベース部材には、機能装置を収納し、ベース部材の外周端面を覆う側壁及び便座・便蓋を回動自在に軸支する軸支部を有するケーシングが固定されている。ケーシングの左右側面の下部には、ビスの頭部を収納する凹部が形成され、凹部の中心部にはネジ孔が貫設されている。ケーシングの左右側方からネジ孔にビスをねじ込むことによりベース部材にケーシングを固定することができる。
【０００３】
【特許文献１】特開平８−３１１９５２号公報
【発明の開示】
【発明が解決しようとする課題】
【０００４】
しかし、上記従来の便座装置では、ケーシングの左右側方からビスをねじ込まなければならないため、ビスが落下しないように注意しながら組み付けなければならず手間を要する。また、側面の下部に凹部が形成されているため、見映えが悪く、凹部にほこりが溜まり易く、清掃性に劣る。
【０００５】
本発明は、上記従来の実情に鑑みてなされたものであって、組み付けが容易で、見映えも清掃性も良好な便座装置を提供することを解決すべき課題としている。
【課題を解決するための手段】
【０００６】
本発明の便座装置は、機能装置が載置され、洋風便器本体の後部上面に取付可能なベース部材と、
該ベース部材に固定され、該機能装置を収納し、該ベース部材の外周端面を覆う側壁及び便座を回動自在に軸支する軸支部を有するケーシングとを備えた便座装置において、
前記ケーシングは、左右側壁の内面に設けられた第１係止部を有し、
前記ベース部材は、左右上面に設けられ、該第１係止部に係合する第１被係止部を有し、
該第１係止部には、該ケーシングの下端開口面と略平行な上面を有する第１係止片が形成され、
該第１被係止部には、該第１係止片の上面に係合する下面を有する第１被係止片とが形成され、
該第１被係止片の下方に、該ベース部材の前端側から該第１係止片を後方にスライドさせて挿入可能であることを特徴とする。
【０００７】
この便座装置では、ベース部材に対して上方から所定の位置にケーシングを下降させた後、ベース部材の後方側にケーシングをスライドさせることにより、第１係止部と第１被係止部とを係合させることができる。つまり、ベース部材の前端側から第１係止片を後方にスライドさせ、第１被係止片の下方に第１係止片を挿入し、第１係止片の上面が第１被係止片の下面に係合可能となる。これにより、ケーシングは、ベース部材に対して上方向への移動が規制され、ベース部材に固定される。また、ケーシングは、左右側壁の外面に凹凸が設けられないため、すっきりとした外観にすることができる。さらに、ケーシングの左右側壁の外面は、ほこりが溜まり難く、清掃し易い。
【０００８】
したがって、本発明の便座装置は、組み付けが容易で、見栄えも清掃性も良好である。
【０００９】
第１被係止片の上面には、後方から前方に下降する傾斜面を有するガイド部材が形成され得る。この場合、ケーシングを上方からベース部材に対して下降させる際に、第１係止部をガイド部材に案内させ、第１被係止部よりベース部材の前端側に容易に位置させることができる。このため、ケーシングを上方からベース部材に対して下降させた後、ベース部材の後方側にスライドさせることにより、容易かつ確実に第１係止部と第１被係止部とを係合させることができる。
【００１０】
ベース部材は、左右端縁に立設された挿入片を有し、ケーシングは、左右側壁の内面に設けられ、左右側壁の内面との間に隙間を形成し、挿入片を挟み込み可能な挟持片を有し得る。この場合、ケーシングを上方からベース部材に対して所定の位置に下降させると、挿入片が挟持片と左右側壁の内面との間の隙間に挿入されて挟み込まれる。このため、ケーシングの左右側壁の下端が左右方向に広がることを防止することができる。
【００１１】
ケーシングは、前端部の後方内部に設けられ、後方に伸びた第２係止片を有する第２係止部を有し、ベース部材は、前端部に設けられ、前方に向けて開口し、第２係止片を挿入可能な凹部からなる第２被係止部を有し得る。この場合、ケーシングをベース部材に対して上方から所定の位置に下降させた後、ベース部材の後方側にスライドさせることにより、第２係止部と第２被係止部とを係合させることができる。つまり、第２係止片が凹部に挿入され、第２係止片の上面が凹部の上側内面に係合可能となる。これにより、ケーシングの前端部は、ベース部材に対して上方向への移動が確実に規制され、ベース部材に固定される。
【００１２】
ベース部材は、前ベース部材と後ベース部材とから構成され、前ベース部材には、第１被係止部が設けられ、後ベース部材は洋風便器本体の後部上面に取付可能であり、後ベース部材に対して、ケーシングが固定された前ベース部材を昇降可能な昇降装置を備え得る。この場合、便座装置を洋風便器本体の後部上面に取り付けた際、ケーシングが固定された前ベース部材を洋風便器本体の上面より上方へ上昇させることができる。この状態にすると、洋風便器本体の便鉢後方の上面を容易に清掃することができる。
【発明を実施するための最良の形態】
【００１３】
以下、本発明の便座装置を具体化した実施例１を図面を参照しつつ説明する。
【実施例１】
【００１４】
実施例１の便座装置は、図１に示すように、洋風便器本体１の後部上面に取り付け可能なベース部材１０を備えている。ベース部材１０は、前ベース部材１１と後ベース部材１２とから構成されている。前ベース部材１１の上面には局部洗浄装置のノズル１１Ａや、図示しない温風乾燥装置等の機能装置が載置されている。後ベース部材１２には、局部洗浄装置の温水タンク１２Ａや、脱臭及び空気清浄装置１２Ｂ等の機能装置及び機能装置を制御する制御装置１２Ｃが載置されている。
【００１５】
便座装置は、前ベース部材１１に固定され、機能装置を収納するケーシング２０を備えている。ケーシング２０は、前ベース部材１１の後部下面と後ベース部材１２の前部上面とが重ね合った状態のベース部材１０の外周端面を覆う左右側壁２１Ａ、前側壁２１Ｂ及び後側壁２１Ｃを有している。また、ケーシング２０は、前側壁２１Ｂの上端から後方に向かって上昇する前部上面２１Ｄと、前部上面２１Ｄを後方に延長した仮想面よりも上方に突出し、後方に向かって上昇する後部上面２１Ｅとを有している。前部上面２１Ｄには、便座２及び便蓋３を回動自在に軸支する軸支部２２が設けられている。便座装置は、後部上面２１Ｅを覆う上カバー４を有している。
【００１６】
ケーシング２０は、図２及び図３に示すように、左右側壁２１Ａの内面に設けられた第１係止部３０を有している。第１係止部３０は、左右側壁２１Ａの夫々の内面に前後及び上下方向に離れて２個ずつ設けられている。第１係止部３０には、左右側壁２１Ａの内面からケーシング２０内に伸び、ケーシング２０の下端開口面と略平行な上面を有する矩形状の第１係止片３１が形成されている。第１係止片３１の前端縁には、左右側壁２１Ａの内面から上下方向に伸びた前補強片３２が接続されている。また、第１係止片３１の後端縁の左右側壁２１Ａ側には、左右側壁２１Ａの内面から上下方向に伸びた後補強片３３が接続されている。
【００１７】
前ベース部材１１は、左右上面に設けられ、第１係止部３０に係合する第１被係止部３５を有している。第１被係止部３５には、前ベース部材１１の上面から立ち上がった支持片３６の上端から前ベース部材１１の左右外側方向に伸び、第１係止片３１の上面に係合する下面を有する第１被係止片３７が形成されている。第１被係止片３７の下方は、前ベース部材１１の前端側が開口し、第１係止片３１を挿入可能である。第１被係止片３７の上面には、後方から前方に下降する傾斜面を有するガイド部材３８が形成されている。
【００１８】
このため、ケーシング２０を上方から前ベース部材１１に対して下降させる際に、第１係止部３０をガイド部材３８に案内させ、第１被係止部３５より前ベース部材１１の前端側に容易に位置させることができる。その後、前ベース部材１１の後方側にケーシング２０をスライドさせることにより、第１被係止片３７の下方に第１係止片３１が挿入され、容易かつ確実に第１係止片３１の上面が第１被係止片３７の下面に係合可能となる。これにより、ケーシング２０は、前ベース部材１１に対して上方向への移動が規制される。また、ケーシング２０は、左右側壁２１Ａの外面に凹凸が設けられないため、すっきりとした外観にすることができる。さらに、ケーシング２０の左右側壁２１Ａの外面は、ほこりが溜まり難く、清掃しやすい。
【００１９】
したがって、実施例１の便座装置は、組み付けが容易で、見栄えも清掃性も良好である。
【００２０】
前ベース部材１１は、左右端縁に立設された略矩形状の挿入片４５を有している。また、前ベース部材１１は、前端縁に連続し、左右端縁の前端部に立設されたリブ４６を有している。ケーシング２０は、左右側壁２１Ａの内面から下向きに開口する鉤状に突設した第１挟持片４１を有している。第１挟持片４１は、左右側壁２１Ａの内面との間に隙間４１Ｓが形成され、挿入片４５を挟み込み可能である。挟持片４１の前後端部の上方には、左右側壁２１Ａの内面から上下方向に伸びた補強片４２が接続されている。また、ケーシング２０は、左右側壁２１Ａの前端部に設けられたブロック状の第２挟持片４３を有している。第２挟持片４３は、左右側壁２１Ａの内面との間に隙間４３Ｓを形成する切欠きが形成され、リブ４６を挟み込み可能である。
【００２１】
このため、ケーシング２０を上方から前ベース部材１１に対して所定の位置に下降させると、挿入片４５が隙間４１Ｓに挿入され、前ベース部材１１の内面と第１挟持片４１との間に挟み込まれ、リブ４６が隙間４３Ｓに挿入され、前ベース部材１１の内面と第２挟持片４３との間に挟み込まれる。このように、ケーシング２０の左右側壁２１Ａの下端が左右方向に広がることを防止することができる。
【００２２】
ケーシング２０は、図２〜図４に示すように、前端部の後方内部の左右２か所に設けられた第２係止部５０を有している。第２係止部５０には、前部上面２１Ｄの内面から垂下する垂下片５２から後方に伸びた第２係止片５１が形成されている。前ベース部材１１は、前端部の左右２か所に設けられた第２被係止部５５を有している。第２被係止部５５には、前方に向けて開口し、第２係止片５１が挿入可能な凹部５６が形成されている。凹部５６の開口側の上面は、開口に向けて上方に傾斜するテーパー面に形成されている。
【００２３】
このため、ケーシング２０を上方から前ベース部材１１に対して所定の位置に下降させた後、前ベース部材１１の後方側にスライドさせることにより、第２係止片５１が凹部５６のテーパー面に案内されて、凹部５６内に挿入され、第２係止片５１の上面が凹部５６の上側内面に係合可能となる。これにより、ケーシング２０の前端部は、前ベース部材１１に対して上方向への移動が確実に規制される。
【００２４】
ケーシング２０は、図１及び図５に示すように、後部上面２１Ｅの左右前方部の２か所に設けられ、底面にビスＢを挿通するビス孔が貫設された凹部２３を有している。前ベース部材１１の後部上面には、上方に伸びた円柱状のビス固定部１３が設けられている。ビス固定部１３は、凹部２３の下方に位置している。ケーシング２０は、ケーシング２０の上方から凹部２３内にビスＢが挿入され、ビス固定部１３に螺着される。これにより、ケーシング２０の前方向への移動が規制され、前ベース部材１１に固定される。
【００２５】
後ベース部材１２には、図５及び図６に示すように、前ベース部材１１の後端部の後方に昇降装置６０が備えられている。昇降装置６０は、基部６１が後ベース部材１２の上面に固定され、基部６１に対して昇降する昇降部６２が前ベース部材１１の後部に接続されており、前ベース部材１１を昇降可能に支持している。後ベース部材１２は、洋風便器本体１の後部上面に取り付けられる。このため、便座装置を洋風便器本体１の後部上面に取り付けた際、ケーシング２０が固定された前ベース部材１１を洋風便器本体１の上面より上方へ上昇させることができる。この状態にすると、洋風便器本体１の便鉢後方の上面を容易に清掃することができる。
【００２６】
ケーシング２０が前ベース部材１１とともに洋風便器本体１の後部上面に下降している状態では、図５に示すように、後側壁２１Ｃの内面と後ベース部材１２の後端から上方に立上がった後壁１４との間は僅かな隙間しか生じない。このため、ケーシング２０を前後方向にスライドさせることができない。よって、ケーシング２０を前ベース部材１１から着脱する場合には、図６に示すように、前ベース部材１１を昇降装置６０により後ベース部材１２より上方に上昇させ、ケーシング２０を前後方向に所定間隔Ｓのスライドを可能にする。つまり、後ベース部材１２の上面に載置された温水タンク１２Ａ、制御装置１２Ｃ等の機能装置の後端面は、上側の方が後ベース部材１２の前方側に位置するように形成及び配置されているため、ケーシング２０を上方に位置させることにより、前後方向にスライドさせることができる。
【００２７】
このため、ケーシング２０を前ベース部材１１に固定する場合には、後ベース部材１２から上昇させた前ベース部材１１に対して、所定の位置にケーシング２０を下降させた後、前ベース部材１１の後方側にスライドさせることにより、第１係止部３０と第１被係止部３５とを係合させ、第２係止部５０と第２被係止部５５とを係合させる。その後、ビスＢを上方から凹部２３内に挿入し、ビス固定部１３にケーシング２０を螺着する。また、ケーシング２０を前ベース部材１１から取り外す場合には、後ベース部材１２から前ベース部材１１とともにケーシング２０を上昇させた後、ビスＢを外して、ケーシング２０を前ベース部材１１の前方側にスライドさせる。これにより、第１係止部３０と第１被係止部３５との係合は解除され、第２係止部５０と第２被係止部５５との係合も解除され、ケーシング２０を前ベース部材１１から取り外すことができる。
【００２８】
以上において、本発明を実施例１に即して説明したが、本発明は上記実施例に制限されるものではなく、その趣旨に逸脱しない範囲で適宜変更して適用できることはいうまでもない。
【００２９】
例えば、ベース部材１０は一枚のベース部材のみで構成されていてもよい。便座装置は便蓋３を有さなくてもよい。
ケーシング２０の後部上面２１Ｅには、凹部２３や開口を形成せず、便座装置は上カバー４を有さなくてもよい。この場合、後側壁２１Ｃにビス孔を貫設し、ケーシング２０をベース部材に螺着するようにしてもよい。
【産業上の利用可能性】
【００３０】
本発明は洋風水洗式便器に利用可能である。
【図面の簡単な説明】
【００３１】
【図１】実施例１の便座装置の分解斜視図である。
【図２】実施例１の便座装置の要部の分解斜視図である。
【図３】実施例１の便座装置の要部の斜視図である。
【図４】実施例１の便座装置の要部の断面図である。
【図５】実施例１の便座装置の前ベース部材の下降時を示す断面図である。
【図６】実施例１の便座装置の前ベース部材の上昇時を示す断面図である。
【符号の説明】
【００３２】
１…洋風便器
２…便座
１０…ベース部材
１１…前ベース部材
１１Ａ…ノズル（機能装置）
１２…後ベース部材
１２Ａ…温水タンク（機能装置）
１２Ｂ…空気清浄装置（機能装置）
２０…ケーシング
２１Ａ、２１Ｂ、２１Ｃ…側壁（２１Ａ…左右側壁、２１Ｂ…前側壁、２１Ｃ…後側壁）
２２…軸支部
３０…第１係止部
３１…第１係止片
３５…第１被係止部
３７…第１被係止片
３８…ガイド部材
４１…挟持片
４５…挿入片
５０…第２係止部
５１…第２係止片
５５…第２被係止部
５６…凹部
６０…昇降装置
【図１】
0005106247.tif 000002
【図２】
0005106247.tif 000003
【図３】
0005106247.tif 000004
【図４】
0005106247.tif 000005
【図５】
0005106247.tif 000006
【図６】
0005106247.tif 000007